(57)【特許請求の範囲】
【請求項１】
レリーフ構造形成層の一方の主面に、複数の凸部又は凹部が可視光の最短波長未満の中心間距離で配置されている低反射性界面部を少なくとも含み、前記低反射性界面部は一辺の長さは、１μｍ以上３００μｍ以下である微小隠蔽画像を形成しており、前記低反射性界面部の周辺に、回折光を射出する機能を有する回折格子形成面と光散乱機能を有する光散乱構造形成層があることを特徴とする表示体。
【請求項２】
前記微小隠蔽画像は、文字又は記号又は数字又はそれらの組み合わせからなるマイクロ文字であることを特徴とする請求項１に記載の表示体。
【請求項３】
前記微小隠蔽画像は、ビットマップパターンからなることを特徴とする請求項１乃至２のいずれかに記載の表示体。
【請求項４】
前記低反射性界面部における複数の凸部又は凹部の中心間距離が２００ｎｍ以上４００ｎｍ未満であることを特徴とする請求項１乃至３のいずれかに記載の表示体。
【請求項５】
前記低反射性界面部における複数の凸部又は凹部の高さ又は深さが前記中心間距離の１／２以上であることを特徴とする請求項１乃至４のいずれかに記載の表示体。
【請求項６】
前記低反射性界面部の少なくとも一部又は全部が反射層により被覆されていることを特徴とする請求項１乃至５記載の表示体。
【請求項７】
前記低反射性界面部の少なくとも一部又は全部を被覆する反射層と、前記界面部の全部を被覆する樹脂層と、を順次具備することを特徴とする請求項１乃至６のいずれかに記載の表示体。
【請求項８】
請求項１乃至７のいずれか１項に記載の表示体とこれを支持した物品とを具備したラベル付き物品。
【発明の詳細な説明】
【技術分野】
【０００１】
本発明は、例えば偽造防止効果を提供する表示技術に関する。
【背景技術】
【０００２】
一般に、商品券及び小切手などの有価証券類、クレジットカード、キャッシュカード及びＩＤカードなどのカード類、並びにパスポート及び免許証などの証明書類には、それらの偽造を防止するために、通常の印刷物とは異なる光学的作用を発揮する表示体が貼り付けられている。また、近年、これら以外の物品についても、偽造品の流通が社会問題化している。そのため、そのような物品に対しても、同様の偽造防止技術を適用する機会が増えてきている。
【０００３】
通常の印刷物とは異なる光学的作用を発揮する表示体としては、複数の溝を並べてなる回折格子を含んだ表示体が知られている。この表示体には、例えば、観察条件に応じて変化する像を表示させることや、立体像を表示させることができ、さらには、フルカラーの写真のような表示像を得ることも可能である。また、回折格子が表示する虹色に輝く分光色は、通常の印刷技術では表現することができない。そのため、回折格子を含んだ表示体は、偽造防止対策が必要な物品に広く用いられている。
【０００４】
この表示体では、レリーフ型の回折格子を使用することが一般的である。レリーフ型回折格子は、通常、フォトリソグラフィを利用して製造した原版から複製することにより得られる。例えば、特許文献１及び２には、回折格子を形成するために、一方の主面に感光性レジストを塗布した平板状の基板をＸＹステージ上に載置し、コンピュータ制御のもとでステージを移動させながら感光性レジストに電子ビームを照射することにより、感光性レジストをパターン露光することが記載されている。また、非特許文献１には、二光束干渉を利用して回折格子を形成することが記載されている。
【０００５】
しかしながら、この表示体に用いられるレリーフ型の回折格子は、露光装置等の装置があれば、比較的容易に形成することができるため、この表示体の偽造防止効果は低下しつつある。
【０００６】
そこで、偽造防止用途で用いられる表示体では、さらに偽造防止効果を向上させるために、一般的にマイクロ文字と呼称される、視認が困難もしくは不可能な微小な文字等を表示体の一部に形成することが行われている。マイクロ文字は表示体全体の意匠性を損ねることなく付与でき、また構造が微小であることから、より高度な加工技術が要求される。
【０００７】
マイクロ文字の大きさとしては、表示体が貼付されている印刷物等の使用者が真偽判定できるように、肉眼での認識がかろうじて可能な３００μｍから１０００μｍ程度の大きさのものから、ルーペや光学顕微鏡等での拡大観察によって真偽判定を行うことを想定した、肉眼では認識が不可能な３００μｍ以下の大きさのものまで様々である。
【０００８】
マイクロ文字の構造としては、文字の内部と外部で構造の高さが異なっているだけのものや、文字の内部にレリーフ型回折格子を構成したもの等がある（特許文献３参照）。
【０００９】
文字の内外で構造の高さが異なっているだけのものは、加工が比較的容易であり、光学的な作用もほとんど生じないため、肉眼で観察した際の隠蔽効果は高いが、顕微鏡などで拡大観察した際にも文字の内部と外部の境界が鮮明ではないので、文字情報の読みとりが困難であったり、真偽判定が難しくなる場合がある。
【００１０】
一方、回折格子によって構成されたマイクロ文字は、より高い加工精度が要求されることから偽造防止効果が比較的高いものの、肉眼で観察した際に回折光が輝くことでその場所に特別な構造が形成されていることが認識されやすく、十分な隠蔽効果を得ることができない。また、マイクロ文字からの回折光が表示体全体の意匠性を損ねてしまうおそれもある。
【００１１】
また、偽造防止対策が必要な物品の多くでマイクロ文字を含む表示体が用いられるようになった結果、この技術が広く認知され、これに伴い、偽造品の発生も増加する傾向にある。そのため、このような表示体では十分な偽造防止効果を達成することが難しくなってきている。
【特許文献１】特開平２−７２３２０号公報
【特許文献２】米国特許第５０５８９９２号明細書
【特許文献３】特開２００７−３０９９６０号公報
【非特許文献１】辻内順平著、「ホログラフィー」、丸善株式会社
【発明の開示】
【発明が解決しようとする課題】
【００１２】
本発明の目的は、より高い偽造防止効果を発揮する表示体を提供することにある。
【課題を解決するための手段】
【００１３】
本発明の第１側面によると、レリーフ構造形成層の一方の主面に、複数の凸部又は凹部が可視光の最短波長未満の中心間距離で配置されている低反射性界面部を少なくとも含み、前記低反射性界面部は一辺の長さは、１μｍ以上３００μｍ以下である微小隠蔽画像を形成しており、前記低反射性界面部の周辺に、回折光を射出する機能を有する回折格子形成面と光散乱機能を有する光散乱構造形成層があることを特徴とする表示体が提供される。
【００１４】
本発明の第２側面によると、請求項１乃至７のいずれか１項に記載の表示体とこれを支持した物品とを具備したラベル付き物品が提供される。
【発明の効果】
【００１５】
本発明によれば、マイクロ文字等の微小隠蔽画像を光反射防止機能を有する低反射性界面部によって形成することで、肉眼で表示体を観察した際には微小隠蔽画像の隠蔽効果が高く、ルーペや光学顕微鏡等で拡大観察した際には微小隠蔽画像内部と外部とで明暗が明確に分かれるため、真偽判定を確実に行うことが可能となる。これにより、表示体の偽造防止効果を向上させることができる。
【発明を実施するための最良の形態】
【００１６】
以下、本発明の態様について、図面を参照しながら詳細に説明する。なお、全ての図面を通じて、同様又は類似した機能を発揮する構成要素には同一の参照符号を付し、重複する説明は省略する。
【００１７】
図１は、本発明の一態様に係る表示体を概略的に示す平面図である。図２は、図１に示す表示体のＩＩ−ＩＩ線に沿った断面図である。この表示体１０は、レリーフ構造形成層１１と反射層１３との積層体を含んでおり、図２に示す例では、レリーフ構造形成層１１側を前面側とし且つ反射層１３側を背面側としている。レリーフ構造形成層１１と反射層１３との界面は、複数の界面部（第１界面部ＩＦ１及び第２界面部ＩＦ２及び第３界面部ＩＦ３）を含んでおり、第１界面部ＩＦ１は、複数の凹部又は凸部が可視光の最短波長未満の中心間距離で配置されている低反射性界面部であり、微小隠蔽画像を形成している。以下、この表示体１０のうち、第１界面部ＩＦ１乃至第３界面部ＩＦ３に対応した部分を、それぞれ、第１表示部ＤＡ１乃至第３表示部ＤＡ３と呼ぶ。
【００１８】
本発明に用いられるレリーフ構造形成層１１は、一方の主面に、複数の凸部又は凹部が可視光の最短波長未満の中心間距離で配置されている低反射性界面部（第１界面部ＩＦ１）を少なくとも含むものであり、レリーフ構造形成層１１の材料としては、例えば、ポリカーボネート及びポリエステルなどの光透過性を有する樹脂を使用することができる。例えば、熱可塑性樹脂又は光硬化性樹脂を使用すると、原版を用いた転写により、一方の主面に凸部又は凹部が設けられたレリーフ構造形成層１１を容易に形成することができる。
【００１９】
図２には、一例として、光透過性基材１１１と光透過性樹脂層１１２との積層体で構成されたレリーフ構造形成層１１を描いている。光透過性基材１１１は、それ自体を単独で取り扱うことが可能なフィルム又はシートである。光透過性樹脂層１１２は、光透過性基材１１１上に形成された層である。図２に示すレリーフ構造形成層１１は、例えば、光透過性基材１１１上に熱可塑性樹脂又は光硬化性樹脂を塗布し、この塗膜に原版を押し当てながら樹脂を硬化させることにより得ることができる。
【００２０】
次に、複数の凸部又は凹部が可視光の最短波長未満の中心間距離で配置されている低反射性界面部（第１界面部ＩＦ１）について説明する。
【００２１】
図３は、図１及び図２に示す表示体１０の低反射性界面部（第１界面部ＩＦ１）に採用可能な構造の一例を示す斜視図である。図３における第１界面部ＩＦ１は、凸部又は凹部が格子状に配置されている低反射界面部を表すものである。図４は、図３に示す構造の平面図である。なお、図３には、レリーフ構造形成層１１側から見た低反射性界面部（第１界面部ＩＦ１）を描いている。
【００２２】
図３に示す低反射性界面部（第１界面部ＩＦ１）には、可視光の最短波長未満の中心間距離で配置された複数の凸部ＰＲが設けられている。ここでの中心間距離とは、隣接して配置されている凸部ＰＲ間の距離を意味するものである。図３に示す例では、凸部ＰＲは、互いに略直交するｘ方向とｙ方向とに格子状に配列しているが、凸部ＰＲはそれとは異なる方向に交差するような格子状の配列であってもよく、また、格子状の配列は曲線であっても、蛇行していてもよい。
【００２３】
図３に示す低反射性界面部（第１界面部ＩＦ１）において、凸部ＰＲは所謂回折格子を形成している。凸部ＰＲが形成している回折格子は、溝（即ち、格子線）を破線で示すように配置してなる回折格子とほぼ同様に機能する（図４参照）。
【００２４】
次に、図３及び図４に示す低反射性界面部（第１界面部ＩＦ１）が有している視覚効果について説明する。
【００２５】
回折格子に照明光源を用いて照明光を照射すると、回折格子は、入射光である照明光の進行方向に対して特定の方向に強い回折光を射出する。
【００２６】
ｍ次回折光（ｍ＝０、±１、±２、・・・）の射出角βは、回折格子の格子線に垂直な面内で光が進行する場合、下記等式から算出することができる。
ｄ＝ｍλ／（ｓｉｎα−ｓｉｎβ）
この等式において、ｄは回折格子の格子定数を表し、ｍは回折次数を表し、λは入射光及び回折光の波長を表している。また、αは、０次回折光、即ち、透過光又は正反射光の射出角を表している。換言すれば、αの絶対値は照明光の入射角と等しく、反射型回折格子の場合には、照明光の入射方向と正反射光の射出方向とは、回折格子が設けられた界面の法線に関して対称である。
【００２７】
なお、回折格子が反射型である場合、角度αは、０°以上であり且つ９０°未満である。また、回折格子が設けられた界面に対して斜め方向から照明光を照射し、法線方向の角度、即ち０°を境界値とする２つの角度範囲を考えると、角度βは、回折光の射出方向と正反射光の射出方向とが同じ角度範囲内にあるときには正の値であり、回折光の射出方向と照明光の入射方向とが同じ角度範囲内にあるときには負の値である。以下、正反射光の射出方向を含む角度範囲を「正の角度範囲」と呼び、照明光の入射方向を含む角度範囲を「負の角度範囲」と呼ぶ。
【００２８】
法線方向から回折格子を観察する場合、表示に寄与する回折光は射出角βが０°の回折光のみである。
【００２９】
従って、格子定数ｄが波長λと比較してより大きい場合、上記等式を満足する波長λ及び入射角αが存在する。即ち、この場合、観察者は、上記等式を満足する波長λを有する回折光を観察することができる。
【００３０】
これに対し、格子定数ｄが波長λと比較してより小さい場合、上記等式を満足する入射角αは存在しない。従って、この場合、観察者は、回折光を観察することができない。
【００３１】
この説明から明らかなように、格子定数ｄ（中心間距離）が可視光の最短波長未満である低反射性界面部（第１界面部ＩＦ１）は、法線方向に回折光を射出しない。それゆえ、法線方向から観察した場合、第１表示部ＤＡ１は回折による分光色を表示しない。つまり、第１表示部ＤＡ１は暗灰色又は黒色印刷層の如く視認される。
【００３２】
格子定数ｄ（中心間距離）が可視光の最短波長以上であり、可視光を回折する、所謂通常の回折格子と、格子定数ｄ（中心間距離）が可視光の最短波長未満である低反射界面部（第１界面部ＩＦ１）に設けられた回折格子とは、更に以下の点で相違する。
【００３３】
図５は、通常の回折格子が１次回折光を射出する様子を概略的に示す図である。図６は、低反射性界面部（第１界面部ＩＦ１）に設けられた回折格子が１次回折光を射出する様子を概略的に示す図である。図５及び図６において、ＩＦは回折格子が形成された界面を示し、ＮＬは界面ＩＦの法線を示し、ＩＬは照明光を示し、ＲＬは正反射光又は０次回折光を示し、ＤＬは１次回折光を示している。
【００３４】
上記等式から明らかなように、回折格子の格子定数ｄが可視光の最短波長と比較してより大きい場合、界面ＩＦに対して斜め方向から照明光ＩＬを照射すると、回折格子は、図５に示すように正の角度範囲内の射出角βで１次回折光ＤＬを射出する。本発明において可視光の最短波長とは、４００ｎｍの波長を表すものである。
【００３５】
これに対し、回折格子の格子定数ｄが可視光の最短波長未満である場合、つまり、４００ｎｍ未満である場合、界面ＩＦに対して斜め方向から照明光ＩＬを照射すると、回折格子は、図６に示すように負の角度範囲内の射出角βで１次回折光ＤＬを射出する。例えば、角度αが８０°であり、格子定数ｄが３００ｎｍである場合を考えると、回折格子は、波長λが５４０ｎｍの１次回折光を約−２５°の射出角βで射出する。
【００３６】
一般に、物品を観察する場合、特には光反射能及び光散乱能が小さい光吸収性の物品を観察する場合、正反射光を知覚できるように物品と光源とを観察者の目に対して相対的に位置合わせする。そのため、図５を参照しながら説明した構成を用いた場合、そのこと自体を観察者が知らないとしても、観察者は比較的高い確率で回折光を知覚する。これに対し、図６を参照しながら説明した構成を用いた場合、そのことを知らない観察者は、多くの場合、回折光を知覚できない。それゆえ、この表示体１０は、第１表示部ＤＡ１が回折光を表示し得ることを悟られ難い。
【００３７】
次に、図７は、図１及び図２に示す表示体の低反射性界面部（第１界面部ＩＦ１）に採用可能な構造であって、図３の構造とは異なり、複数の凸部又は凹部が非格子状に配置されている界面部を表す斜視図である。ここで、複数の凸部又は凹部が非格子状に配置とは、周期的な配列規則を伴わずに不規則に配置された状態を意味する。図８は図７に示す構造の平面図である。なお、図７には、レリーフ構造形成層１１側から見た低反射性界面部（第１界面部ＩＦ１）を描いている。
【００３８】
図７に示すように、低反射性界面部（第１界面部ＩＦ１）には、非格子状に配置された複数の凸部ＰＲが設けられており、凸部ＰＲの中心間距離が可視光の最短波長未満となるように配置される。ここでの中心間距離とは、第１界面部ＩＦ１内において隣接して配置されている凸部ＰＲ間の距離の平均値を意味するものである。このように不規則に配置された凸部ＰＲから構成される低反射性界面部（第１界面部ＩＦ１）からなる第１表示部ＤＡ１は、図３で示した低反射性界面部（第１界面部ＩＦ１）から成る第１表示部ＤＡ１とは異なり、１次回折光ＤＬは観察されにくく、例えば、表示体１０を斜め方向から観察した場合であっても、第１表示部ＤＡ１は暗灰色又は黒色印刷層の如く視認される。
【００３９】
図７に示す低反射性界面部（第１界面部ＩＦ１）に採用可能な構造の中心間距離は可視光の最短波長未満（４００ｎｍ未満）とすることで暗灰色又は黒色印刷層の如く見える構造を得ることができる。
【００４０】
なお、本発明において、低反射性界面部（第１界面部ＩＦ１）に形成される凸部又は凹部の中心間距離は２００ｎｍ以上４００ｎｍ未満とすることが好ましい。低反射性界面部（第１界面部ＩＦ１）に形成される凸部又は凹部は、黒色の表示を行うために可視光の最短波長（４００ｎｍ）未満の中心間距離で配置しているが、中心間距離が２００ｎｍ未満であると加工や複製が困難になる。２００ｎｍ以上且つ４００ｎｍ未満の任意の値を中心間距離とすることで、十分に黒色もしくは暗灰色の表示が可能になる。
【００４１】
本発明の低反射性界面部（第１界面部ＩＦ１）に用いられる複数の凸部又は凹部の形状としては、図３及び図７に示されるように、テーパ形状を用いることができるが、これに限定されるものではない。テーパ形状としては、例えば、半紡錘形状、円錐及び角錐などの錐体形状、又は切頭円錐及び切頭角錐などの切頭錐体形状を挙げることができる。また、低反射性界面部（第１界面部ＩＦ１）に形成される複数の凸部又は凹部の側面形状としては、傾斜面のみで構成されていてもよく、階段状であってもよい。
【００４２】
テーパ形状は、原版からのレリーフ構造形成層１１の取り外しを容易にし、生産性を向上する効果を有する。
【００４３】
このような構造を採用した場合、凸部ＰＲの中心間距離が可視光の最短波長と比較してより短ければ、低反射性界面部（第１界面部ＩＦ１）領域は、表示体１０の厚さ方向に連続的に変化した屈折率を有していると見なすことができる。そのため、どの角度から観察しても、低反射性界面部（第１界面部ＩＦ１）の正反射光の反射率は小さい。さらに、図３に示すような複数の凸部又は凹部が格子状に配置されている格子状の低反射性界面部（第１界面部ＩＦ１）を用いた場合であっても、法線方向に回折光を射出することはほとんどない。
【００４４】
従って、例えば、表示体１０をその法線方向から観察した場合、表示部ＤＡ１は暗く見える。典型的には、表示部ＤＡ１は暗灰色又は黒色に見える。なお、ここで、「暗灰色」とは、例えば、表示体１０に法線方向から光を照射し、正反射光の強度を測定したときに、波長が４００ｎｍ乃至７００ｎｍの範囲内にある全ての光成分について反射率が約２５％以下であることを意味する。また、「黒色」は、例えば、表示体１０に法線方向から光を照射し、正反射光の強度を測定したときに、波長が４００ｎｍ乃至７００ｎｍの範囲内にある全ての光成分について反射率が１０％以下であることを意味する。それゆえ、表示部ＤＡ１は、例えば暗灰色又は黒色印刷層の如く見える。
【００４５】
本発明における低反射性界面部（第１界面部ＩＦ１）では、複数の凸部又は凹部の中心間距離が小さくなるのに伴って明度及び彩度が低下し、より黒い表示が可能となり、中心間距離が大きくなるのに伴って、やや輝度が上昇し、暗灰色に知覚されるような構造となる。
【００４６】
本発明における低反射性界面部（第１界面部ＩＦ１）では、複数の凸部又は凹部の高さ又は深さが大きいほうがより黒い表示が可能となり、高さ及び深さが小さくなるのに伴って輝度が上昇し、暗灰色に知覚されるようになる。典型的には高さは中心間距離の１／２以上とすることが望ましい。具体的には、例えば中心間距離が３８０ｎｍであった場合、高さ又は深さを１９０ｎｍ以上とすることで暗灰色の表示が可能となり、３８０ｎｍ以上の高さとすることでより黒い表示が可能となる。中心間距離と比較してはるかに高い構造にすると十分な黒さが得られ、且つ高精度な製造技術が必要となることから、より一層偽造防止効果を向上させることができる。ここで、本発明における凸部又は凹部の高さとは、凸部又は凹部の頂部から底部までの高低差を意味する。
【００４７】
本発明における第１界面部では、形成される複数の凸部又は凹部の形状、又は／及び中心間距離、又は／及び高さを変化させることで、観察される黒さの程度が変化する。本発明における表示体が、２以上の低反射性界面部を含んでいるとき、２以上の低反射性界面部における複数の凸部又は凹部の形状、又は／及び中心間距離、又は／及び高さ、を互いに異なったものとすることにより、観察した際に黒さの程度が異なる表示が可能となる。すなわち複数の低反射性界面部を用いて暗灰色から黒色まで階調が段階的に制御された表示が可能となる。
【００４８】
次に、図２に示す第２界面部ＩＦ２及び第３界面部ＩＦ３について説明する。
【００４９】
第２界面部ＩＦ２及び第３界面部ＩＦ３は、例えば回折格子形成面や光散乱構造形成面であり、平坦面であってもよい。表示体１０に複数の第２界面部ＩＦ２及び第３界面部ＩＦ３を設け、それぞれに回折格子形成面や光散乱構造形成面や平坦面等を設けることで、それらを画像構成要素として、画像を形成する。第２界面部ＩＦ２もしくは第３界面部ＩＦ３に回折格子形成面を設けることで回折格子による分光によって虹色に輝く光学効果が得ることができ、また、光散乱構造形成面を設けた場合には、光の散乱効果によって白色または白濁色の表示が可能となる。平坦面とした場合には特別な光学効果は得ることができないが、他の光学効果を有する他の界面部との差によって画像を構成することができる。
【００５０】
図９は、本発明の一態様に係る表示体を概略的に示す平面図である。図１０は、図９に示す表示体の点線で囲んだ領域Ｌを拡大した平面図である。図１１は、図１０に示す表示体の一部に設けられた微小隠蔽画像を光学顕微鏡で拡大観察した様子を概略的に示す平面図である。図１２は、図１１に示す表示体のＩＶ−ＩＶ破線に沿った断面図である。
【００５１】
図９乃至図１２に示す表示体１０は、レリーフ構造形成層１１と反射層１３との積層体を含んでおり、図１２に示す例では、レリーフ構造形成層１１側を前面側とし且つ反射層１３側を背面側としている。レリーフ構造形成層１１と反射層１３との界面は、複数の界面部（第４界面部ＩＦ４及び第５界面部ＩＦ５及び第６界面部ＩＦ６）を含んでおり、第４界面部ＩＦ４は、複数の凹部又は凸部が可視光の最短波長未満の中心間距離で配置されている低反射性界面部であり、微小隠蔽画像０１を形成している。以下、この表示体１０のうち、第４界面部ＩＦ４乃至第６界面部ＩＦ６に対応した部分を、それぞれ、第４表示部ＤＡ４乃至第６表示部ＤＡ６と呼ぶ。
【００５２】
図９及び図１０に示すように、表示体１０を拡大観察することで、表示体１０の「水平線」の部分（図９に示す表示部ＤＡ４）が、「ｓｅｃｕｒｉｔｙ」というマイクロ文字によって形成されていることが分かる（図１０及び図１１に示す第４界面部ＩＦ４）。微小隠蔽画像０１は光反射防止機能を有する低反射性界面部（第４界面部ＩＦ４）から成るので黒色もしくは暗灰色のごとく知覚される。
【００５３】
本発明における微小隠蔽画像１０としては、真偽判定をする際に、観察者に依らず共通の情報として取り扱いができるため、マイクロ文字を用いることが好ましい。マイクロ文字とは、文字又は記号又は数字又はその組み合わせからなるものであり、図１０の「ｓｅｃｕｒｉｔｙ」のように複数の文字を用いて意味をなすマイクロ文字列を表すものである。
【００５４】
図９乃至図１２において、第５界面部ＩＦ５は、回折光を射出する機能を有する回折格子形成面であり、第６界面部ＩＦ６は、光散乱機能を有する光散乱構造形成層である。したがって、第５表示部ＤＡ５では、回折光を射出する機能を有するため観察方向や光源の方向に応じて虹色に輝くように見え、第６表示部ＤＡ６では、光散乱機能を有するため白色もしくは白濁色に見える。
【００５５】
図９乃至図１２に示す表示体１０では、反射防止機能により光の射出を行わない微小隠蔽画像０１である第４表示部ＤＡ４（低反射性界面部に対応）は、周辺の明るく輝く第５表示部ＤＡ５や白色の散乱光を発する第６表示部ＤＡ６に埋没することで、肉眼での認識が困難となる。肉眼で観察した際の隠蔽効果を増すためには、図１０及び図１１に示すマイクロ文字（微小隠蔽画像０１）の大きさは、より小さいことが好ましい。より微小なマイクロ文字は、精度良く製造することが困難であるので、製造技術の面でもより高い偽造防止効果が期待できる。
【００５６】
また、肉眼での視認が困難もしくは不可能な大きさのマイクロ文字（微小隠蔽画像０１）は、ルーペや光学顕微鏡などの拡大観察が可能な器具、装置を用いて真偽判定を行う。
【００５７】
図１２は図１１のＩＶ−ＩＶ線に沿った断面図である。レリーフ構造形成層１１の表面には金属から成る反射層１３が設けられている。それにより拡大観察した際に、第５界面部ＩＦ５及び第６界面部ＩＦ６は例えば金色や銀色等の金属光沢色が知覚され、一方、微小隠蔽画像０１である第４界面部ＩＦ４は黒色もしくは暗灰色に見える。すなわち、それぞれの色が異なって見えることから拡大観察した際に微小隠蔽画像０１が鮮明に見え、真偽判定を確実に行うことができる。
【００５８】
図１３は、微小隠蔽画像０１が単純な凹凸構造で形成された第７界面部ＩＦ７と、回折格子が形成された第８界面部ＩＦ８と、光散乱構造から成る第９界面部ＩＦ９と、からなる従来の構成の表示体の一部を、光学顕微鏡で拡大観察した様子を概念的に示す平面図である。図１４は、図１３のＶ−Ｖ線に沿った断面図であり、レリーフ構造形成層１１の表面には、反射層１３が設けられている。回折格子や光散乱構造を光学顕微鏡等で高倍率に観察した際には、回折光や光の散乱効果は知覚できず、図１４に示すように、それらの構造がそのまま観察される。単純な凹凸構造で形成された微小隠蔽画像０１や回折格子、光散乱構造は光の反射防止機能は有さないので、いずれにおいても反射層１３による金色や銀色等の金属光沢色が知覚される。そのため、微小隠蔽画像０１とその周辺部は同一の色で知覚されるため、微小隠蔽画像を明瞭に観察することができない。
【００５９】
すわなち、微小隠蔽画像０１を光反射防止機能を有する低反射性界面部で形成することで真偽判定をより一層確実に行えるようになり、表示体の偽造防止効果を向上させるのに有効となる。
【００６０】
なお、上述した例としては、微小隠蔽画像を第１界面部ＩＦ１もしくは第４界面部ＩＦ４で構成し、その周辺部を界面部ＩＦ２乃至３もしくは界面部ＩＦ５乃至６で構成する例を挙げているが、図１５に示すように、微小隠蔽画像０１を回折格子から成る第１０界面部ＩＦ１０で構成し、その周辺部を低反射性界面部である第１１界面部ＩＦ１１で構成するようにしても明暗の対比が明確に付き、真偽判定を確実に行うことができる。
【００６１】
また、本発明における微小隠蔽画像では、複数のドット（画素）の集合により表現されるビットマップデータを用いることが好ましい。ビットマップデータはコンピュータでの取り扱いや加工が容易であり、また、ドットのサイズや数を適宜変更することで解像度の高い文字、記号、絵柄の表現も可能である。ここでのビットマップデータとは、コンピュータで画像を表現する際のデータ形式の一つであり、画像を格子状に配置された多くの点（ドット）から構成されるものとして取り扱い、その点の色や濃度をＲＧＢ（赤・緑・青）等の表色系を用いて数値として表したものをいう。
【００６２】
また、本発明におけるレリーフ構造形成層の原版を作製するのに用いられる電子ビーム露光装置やレーザー露光装置等は、描画を行う基板上を細かなマトリクスに分割し、各地点の座標値をデジタルデータとして保持し、各地点への描画を行っていくものが多く、描画データとしてビットマップデータを用いると、露光装置との親和性も良く、描画の際にデータの欠落が生じてしまう等の問題も発生しにくい。
また、ビットマップデータのドットサイズを十分に細かくすることで非常に解像度の高い微小隠蔽画像を形成できる。
【００６３】
より偽造防止効果の高い表示体を実現するためには、微小隠蔽画像（マイクロ文字）の一辺の長さは１μｍ以上３００μｍ以下であることが好ましい。光学顕微鏡等の拡大観察のための装置を用いて観察する場合、微小隠蔽画像（マイクロ文字）の一辺の長さが１μｍ以下の構造であると、画像や文字の情報を読み取ることが困難であると同時に、観察する領域が限定され、十分な照明光光量が確保できず、低反射性界面部が十分な黒色にならないおそれがある。また、人間の眼の分解能では一般的には概ね３００μｍ以下の構造を認識することが困難であるため、３００μｍ以下とすることで、微小隠蔽画像（マイクロ文字）の存在や情報が容易に把握されることを防止することができ、真偽判定にはルーペや光学顕微鏡等の拡大観察する手段が必要になることから、十分な隠蔽効果が期待できる。
ここで、微小隠蔽画像の一辺の長さとは、例えば、微小隠蔽画像が１行のマイクロ文字列からなるときの、マイクロ文字列の長さ、及び、文字列と直交する方向の文字幅の長さを意味するものである。
【００６４】
本発明に用いられる反射層１３としては、例えば、アルミニウム、銀、金、及びそれらの合金などの金属材料からなる金属層を使用することができる。或いは、反射層１３として、レリーフ構造形成層１１とは屈折率が異なる誘電体層を使用してもよい。或いは、反射層１３として、隣り合うもの同士の屈折率が異なる誘電体層の積層体、即ち、誘電体多層膜を使用してもよい。なお、誘電体多層膜が含む誘電体層のうちレリーフ構造形成層１１と接触しているものの屈折率は、レリーフ構造形成層１１の屈折率とは異なっていることが望ましい。反射層１３は、例えば、真空蒸着法及びスパッタリング法などの気相堆積法により形成することができる。
【００６５】
レリーフ構造形成層１１及び反射層１３の一方は、省略することができる。ここで、反射層のみからなる表示体とは、レリーフ構造形成層として金属層、誘電体層、誘電体多層膜を用いたものを意味する。ただし、表示体１０がレリーフ構造形成層１１及び反射層１３の双方を含んでいる場合、それらの一方のみを含んでいる場合と比較して、先の界面の損傷を生じ難く、表示体１０に視認性がより優れた像を表示させることができる。
【００６６】
また、反射層１３は、複数の界面部の一部又は全部に被覆させてもよく、この反射層１３の分布を用いて、例えば、この反射層の存在する領域の輪郭を用いて、図柄を表現することもできる。さらに、反射層１３は、レリーフ構造形成層１１全面に被膜させてもよい。
【００６７】
本発明における表示体は、接着剤層、樹脂層等の他の層を更に積層してもよい。
本発明における接着剤層は、例えば、反射層を被覆するように設ける。表示体がレリーフ構造形成層及び反射層の双方を含んでいる場合、通常、反射層の表面の形状は、レリーフ構造形成層と反射層との界面の形状とほぼ等しい。接着剤層を設けることで、反射層表面の露出を防止することができるため、先の界面の凸部又は凹部の、偽造を目的とした複製を困難とすることができる。
【００６８】
また、レリーフ構造形成層側を背面側とし且つ反射層側を前面側とする場合、接着層は、レリーフ構造形成層上に形成する。
【００６９】
本発明における樹脂層は、レリーフ構造形成層及び反射層の積層体に対して前面側に設けることができる。
レリーフ構造形成層側を前面側とし且つ反射層側を背面側とする場合、複数の界面部を設けていないレリーフ構造形成層上を樹脂層によって被覆することで、レリーフ構造形成層の損傷を抑制することができる。また、レリーフ構造形成層側を背面側とし且つ反射層側を前面側とする場合、反射層を樹脂層によって被覆することで、反射層の損傷を抑制できるのに加え、その表面の凸部又は凹部の偽造を目的とした複製を困難とすることができる。
【００７０】
また、本発明における表示体は、例えば、偽造防止用ラベルとして粘着材等を介して印刷物や物品に貼り付けて使用することができる。表示体は微細な凹凸構造により光反射防止機能を備えた微小隠蔽画像を有することから偽造又は模造が困難であり、このラベルを物品に支持させた場合、真正品であるこのラベル付き物品の偽造又は模造も困難である。
【００７１】
図１６は、偽造防止用ラベルを物品に支持させてなるラベル付き物品の一例を概略的に示す平面図である。図１７は、図１６に示すラベル付き物品のＸＸ−ＸＸ線に沿った断面図である。
【００７２】
図１６及び図１７には、ラベル付き物品の一例として、印刷物１００を描いている。この印刷物１００は、ＩＣ（ｉｎｔｅｇｒａｔｅｄ  ｃｉｒｃｕｉｔ）カードであって、基材２０を含んでいる。基材２０は、例えば、プラスチックからなる。基材２０の一方の主面には凹部が設けられており、この凹部にＩＣチップ３０が嵌め込まれている。ＩＣチップ３０の表面には電極が設けられており、これら電極を介してＩＣへの情報の書き込み及び／又はＩＣに記録された情報の読出しが可能である。基材２０上には、印刷層４０が形成されている。基材２０の印刷層４０が形成された面には、上述した表示体１０が例えば粘着層を介して固定されている。表示体１０は、例えば、粘着ステッカとして又は転写箔として準備しておき、これを印刷層４０に貼りつけることにより、基材２０に固定する。
【００７３】
この印刷物１００は、微細な凹凸構造から成る表示体１０を含んでいる。それゆえ、この印刷物１００の同一品を偽造又は模造することは困難である。しかも、この印刷物１００は、表示体１０に加えて、ＩＣチップ３０及び印刷層４０を更に含んでいるため、それらを利用した偽造防止対策を採用することができる。
【００７４】
なお、図１６及び図１７には、表示体１０を含んだ印刷物としてＩＣカードを例示しているが、表示体１０を含んだ印刷物は、これに限定されるものではない。例えば、表示体１０を含んだ印刷物は、磁気カード、無線カード及びＩＤ（ｉｄｅｎｔｉｆｉｃａｔｉｏｎ）カードなどの他のカードであってもよい。或いは、表示体１０を含んだ印刷物は、商品券及び株券などの有価証券であってもよい。或いは、表示体１０を含んだ印刷物は、真正品であることが確認されるべき物品に取り付けられるべきタグであってもよい。或いは、表示体１０を含んだ印刷物は、真正品であることが確認されるべき物品を収容する包装体又はその一部であってもよい。
【００７５】
また、図１６及び図１７に示す印刷物１００では、表示体１０を基材２０に貼り付けているが、表示体１０は、他の方法で基材に支持させることができる。例えば、基材として紙を使用した場合、表示体１０を紙に漉き込み、表示体１０に対応した位置で紙を開口させてもよい。或いは、基材として光透過性の材料を使用する場合、その内部に表示体１０を埋め込んでもよく、基材の裏面、即ち表示面とは反対側の面に表示体１０を固定してもよい。
【００７６】
また、ラベル付き物品は、印刷物でなくてもよい。すなわち、印刷層を含んでいない物品に表示体１０を支持させてもよい。例えば、表示体１０は、美術品などの高級品に支持させてもよい。
【００７７】
表示体１０は、偽造防止以外の目的で使用してもよい。例えば、表示体１０は、玩具、学習教材又は装飾品等としても利用することができる。
【図面の簡単な説明】
【００７８】
【図１】本発明の一態様に係る表示体を概略的に示す平面図。
【図２】図１に示す表示体のＩＩ−ＩＩ線に沿った断面図。
【図３】図１及び図２に示す表示体の第１界面部に採用可能な構造の一例を示す斜視図。
【図４】図３に示す構造の平面図。
【図５】回折格子が１次回折光を射出する様子を概略的に示す図。
【図６】他の回折格子が１次回折光を射出する様子を概略的に示す図。
【図７】図１及び図２に示す表示体の第１界面部に採用可能な構造の一例を示す斜視図。
【図８】図７に示す構造の平面図。
【図９】本発明の一態様に係る表示体を概略的に示す平面図。
【図１０】図９に示す構造の部分拡大図。
【図１１】本発明の一態様に係る表示体を拡大観察した際の様子を示す概念図。
【図１２】図１１に示す表示体のＩＶ−ＩＶ線に沿った断面図。
【図１３】従来の表示体を拡大観察した際の様子を示す概念図。
【図１４】図１３に示す表示体のＶ−Ｖ線に沿った断面図。
【図１５】本発明の表示体の別の実施例を拡大観察した際の様子を示す概念図。
【図１６】偽造防止用ラベルを物品に支持させてなるラベル付き物品の一例を概略的に示す平面図。
【図１７】図１６に示すラベル付き物品のＸＸ−ＸＸ線に沿った断面図。
【符号の説明】
【００７９】
０１…微小隠蔽画像、１０…表示体、１１…光透過層、１３…反射層、２０…基材、３０…ＩＣチップ、４０…印刷層、１００…印刷物、１１１…光透過性基材、１１２…光透過性樹脂層、ＤＡ１…第１表示部、ＤＡ２…第２表示部、ＤＡ３…第３表示部、ＤＡ４…第４表示部、ＤＡ５…第５表示部、ＤＡ６…第６表示部、ＤＡ７…第７表示部、ＤＡ８…第８表示部、ＤＡ９…第９表示部、ＤＡ１０…第１０表示部、ＤＡ１１…第１１表示部、ＤＬ…１次回折光、ＩＦ１…第１界面部（低反射性界面部）、ＩＦ２…第２界面部、ＩＦ３…第３界面部、ＩＦ４…第４界面部（低反射性界面部）、ＩＦ５…第５界面部、ＩＦ６…第６界面部、ＩＦ７…第７界面部、ＩＦ８…第８界面部、ＩＦ９…第９界面部、ＩＦ１０…第１０界面部、ＩＦ１１…第１１界面部、ＩＬ…照明光、ＬＳ…光源、ＮＬ…法線、ＯＲ…凸部、ＰＲ…凸部、ＱＲ…凸部、ＲＬ…正反射光
【図１】
0005272438.tif 000002
【図２】
0005272438.tif 000003
【図３】
0005272438.tif 000004
【図４】
0005272438.tif 000005
【図５】
0005272438.tif 000006
【図６】
0005272438.tif 000007
【図７】
0005272438.tif 000008
【図８】
0005272438.tif 000009
【図１５】
0005272438.tif 000010
【図９】
0005272438.tif 000011
【図１０】
0005272438.tif 000012
【図１１】
0005272438.tif 000013
【図１２】
0005272438.tif 000014
【図１３】
0005272438.tif 000015
【図１４】
0005272438.tif 000016
【図１６】
0005272438.tif 000017
【図１７】
0005272438.tif 000018